【手続補正書】
【提出日】令和2年9月18日(2020.9.18)
【手続補正１】
【補正対象書類名】特許請求の範囲
【補正対象項目名】請求項３
【補正方法】変更
【補正の内容】
【請求項３】
前記第１導電薄膜の前記厚さは、１０ｎｍ以上１０００ｎｍ以下であり、
前記第１導電層の前記厚さは、１０００ｎｍを超え２５０００ｎｍ未満である、請求項２記載の発光モジュール。
【手続補正２】
【補正対象書類名】明細書
【補正対象項目名】０００７
【補正方法】変更
【補正の内容】
【０００７】
【図１】第１実施形態に係る発光モジュールを例示する模式的平面図である。
【図２】第１実施形態に係る発光モジュールを例示する模式的平面図である。
【図３】図１に示すIII-III線による、第１実施形態に係る発光モジュールを例示する模式的断面図である。
【図４】図１に示すIV―IV線による、第１実施形態に係る発光モジュールを例示する模式的断面図である。
【図５】図１に示すV-V線による、第１実施形態に係る発光モジュールを例示する模式的断面図である。
【図６】図１に示すVI―VI線による、第１実施形態に係る発光モジュールを例示する模式的断面図である。
【図７】第２実施形態に係る発光モジュールを例示する模式的平面図である。
【図８】図７に示すVIII-VIII線による、第２実施形態に係る発光モジュールを例示する模式的断面図である。
【図９】図７に示すIX-IX線による、第２実施形態に係る発光モジュールを例示する模式的断面図である。
【図１０】第３実施形態に係る発光モジュールを例示する模式的平面図である。
【図１１】第４実施形態に係る発光モジュールを例示する模式的平面図である。
【図１２】第５実施形態に係る発光モジュールを例示する模式的平面図である。
【図１３】第６実施形態に係る発光モジュールを例示する模式的平面図である。
【図１４】第７実施形態に係る発光モジュールを例示する模式的断面図である。
【手続補正３】
【補正対象書類名】明細書
【補正対象項目名】００１８
【補正方法】変更
【補正の内容】
【００１８】
図１に示すように、第１発光装置１１は、第１電極１１ｅを含む。第２発光装置１２は、第２電極１２ｅを含む。第１導電薄膜２１は、第１薄膜領域２１ａ及び第２薄膜領域２１ｂを含む。第１薄膜領域２１ａは、第１端子部４１及び第１電極１１ｅを電気的に接続する。第２薄膜領域２１ｂは、第１端子部４１及び第２電極１２ｅを電気的に接続する。第１薄膜領域２１ａは、第１端子部４１と第１電極１１ｅとの間に流れる電流の電流経路の少なくとも一部となる。第２薄膜領域２１ｂは、第１端子部４１と第２電極１２ｅとの間に流れる電流の電流経路の少なくとも一部となる。
【手続補正４】
【補正対象書類名】明細書
【補正対象項目名】００２１
【補正方法】変更
【補正の内容】
【００２１】
図１〜図３に示すように、第１導電層３１が設けられる。第１導電層３１は、第１薄膜領域２１ａと電気的に接続される。第１導電層３１の少なくとも一部は、第１薄膜領域２１ａと重なる。例えば、第１薄膜領域２１ａを含む平面をＸ−Ｙ平面とする。Ｘ−Ｙ平面に対して垂直な方向を第１方向とする。第１方向は、例えば、Ｚ軸方向である。第１導電層３１の少なくとも一部は、Ｚ軸方向において、第１薄膜領域２１ａと重なる。この例では、Ｘ−Ｙ平面は、第１薄膜領域２１ａ及び第２薄膜領域２１ｂを含む。
電流経路が長い第１薄膜領域２１ａに第１導電層３１が設けられることで、第１薄膜領域２１ａ及び第１導電層３１を含む電流経路の電気抵抗は、第２薄膜領域２１ｂの電流経路の電気抵抗に近づく。例えば、第１導電層３１は、補助配線として機能する。
【手続補正５】
【補正対象書類名】明細書
【補正対象項目名】００５５
【補正方法】変更
【補正の内容】
【００５５】
（第２実施形態）  
図７は、第２実施形態に係る発光モジュールを例示する模式的平面図である。  
図８及び図９は、第２実施形態に係る発光モジュールを例示する模式的断面図である。
【手続補正６】
【補正対象書類名】明細書
【補正対象項目名】００５８
【補正方法】変更
【補正の内容】
【００５８】
図８に示すように、絶縁部材６０の上に、第１導電層３１設けられ、第１導電層３１の上に、第１薄膜領域２１ａが設けられる。この例では、第１端子部４１の上に、第１導電薄膜２１が設けられる。図９に示すように、絶縁部材６０の上に、第２導電層３２が設けられ、第２導電層３２の上に、第３薄膜領域２２ｃが設けられる。この例では、第２端子部４２の上に、第２導電薄膜２２が設けられる。
【手続補正７】
【補正対象書類名】明細書
【補正対象項目名】００６２
【補正方法】変更
【補正の内容】
【００６２】
図１０に示すように、第３実施形態に係る発光モジュール１１２においては、第１導電層３１及び第２導電層３２に加えて、他の導電層３８ａ〜３８ｃなどが設けられている。導電層３８ａは、第１導電薄膜２１のうちの第６発光装置１６と接続される領域に設けられる。導電層３８ｂは、第１導電薄膜２１のうちの第８発光装置１８と接続される領域に設けられる。導電層３８ｃは、第２導電薄膜２２のうちの第５発光装置１５と接続される領域に設けられる。発光モジュール１１２におけるこの他の構成は、例えば、発光モジュール１１０における構成と同様である。発光モジュール１１２においては、第１端子部４１と第６発光装置１６との間の電流経路、第１端子部４１と第８発光装置１８との間の電流経路、及び、第２端子部４２と第５発光装置１５との間の電流経路の電気抵抗が低減できる。発光モジュール１１２によれば、輝度の均一性を向上できる。
【手続補正８】
【補正対象書類名】明細書
【補正対象項目名】００６４
【補正方法】変更
【補正の内容】
【００６４】
図１１に示すように、第４実施形態に係る発光モジュール１１３においては、第１導電層３１は、第１端子部４１と連続している。第１導電層３１の一部が、第１端子部４１と第１電極１１ｅとの間の電流経路の一部と重なる。第１導電層３１の別の一部が、第１端子部４１と第２電極１２ｅとの間の電流経路の一部と重なっても良い。発光モジュール１１３におけるこの他の構成は、例えば、発光モジュール１１０における構成と同様である。第１導電層３１を設けることで、第１導電層３１を設けない場合に比べて、第１端子部４１と第２電極１２ｅとの間の電気抵抗と、第１端子部４１と第１電極１１ｅとの間の電気抵抗と、の差を小さくできる。発光モジュール１１３において、第２導電層３２は、第２端子部４２と連続している。第２導電層３２を設けることで、第２導電層３２を設けない場合に比べて、第２端子部４２と第３電極１３ｅとの間の電気抵抗と、第２端子部４２と第４電極１４ｅとの間の電気抵抗と、の差を小さくできる。発光モジュール１１３によれば、輝度の均一性を向上できる。
【手続補正９】
【補正対象書類名】明細書
【補正対象項目名】００６６
【補正方法】変更
【補正の内容】
【００６６】
図１２に示すように、第５実施形態に係る発光モジュール１１４においては、第１導電層３１は、発光モジュール１１４の１つの辺に沿って延びる部分と、発光モジュール１１４の１つの別の辺に沿って延びる部分と、を含む。上記の１つの辺の方向は、上記の別の辺の方向と交差する。発光モジュール１１４におけるこの他の構成は、例えば、発光モジュール１１０における構成と同様である。このような第１導電層３１により、第１端子部４１と第１電極１１ｅとの間の電気抵抗と、第１端子部４１と第２電極１２ｅとの間の電気抵抗と、の差を小さくできる。このような第１導電層３１により、第１端子部４１と第６発光装置１６の電極との間の電気抵抗と、第１端子部４１と第２電極１２ｅとの間の電気抵抗と、の差を小さくできる。発光モジュール１１４によれば、輝度の均一性を向上できる。
【手続補正１０】
【補正対象書類名】明細書
【補正対象項目名】００７６
【補正方法】変更
【補正の内容】
【００７６】
発光モジュール１３０において、複数の発光装置１０は、第１発光装置１１、第３発光装置１３、第５発光装置１５及び第６発光装置１６を含む。複数の導電薄膜２０は、第１導電薄膜２１、第２導電薄膜２２、及び、導電薄膜２０ａ〜２０ｃを含む。この例では、導電薄膜２０ａ〜２０ｃにより、複数の発光装置１０が直列に接続されている。複数の発光装置１０のうちの、端の第１発光装置１１は、第１導電薄膜２１により、第１端子部４１に電気的に接続される。複数の発光装置１０のうちの、別の端の第３発光装置１３は、第２導電薄膜２２により、第２端子部４２に電気的に接続される。発光モジュール１３０において、複数の発光装置１０は、図１に例示した第２発光装置１２を含んでも良い。
【手続補正１１】
【補正対象書類名】図面
【補正対象項目名】図１
【補正方法】変更
【補正の内容】
【図１】
2020181723.tif 000001
【手続補正１２】
【補正対象書類名】図面
【補正対象項目名】図２
【補正方法】変更
【補正の内容】
【図２】
2020181723.tif 000002
【手続補正１３】
【補正対象書類名】図面
【補正対象項目名】図７
【補正方法】変更
【補正の内容】
【図７】
2020181723.tif 000003
【手続補正１４】
【補正対象書類名】図面
【補正対象項目名】図１０
【補正方法】変更
【補正の内容】
【図１０】
2020181723.tif 000004
【手続補正１５】
【補正対象書類名】図面
【補正対象項目名】図１１
【補正方法】変更
【補正の内容】
【図１１】
2020181723.tif 000005
【手続補正１６】
【補正対象書類名】図面
【補正対象項目名】図１２
【補正方法】変更
【補正の内容】
【図１２】
2020181723.tif 000006
【手続補正１７】
【補正対象書類名】図面
【補正対象項目名】図１３
【補正方法】変更
【補正の内容】
【図１３】
2020181723.tif 000007